(57)【要約】      （修正有）【課題】自発光機能を有していて視認性がよく、暗所で光を受けない状況下でも機能し、以て自転車利用者及び歩行者等の安全を確保でき、しかも構成簡易で取付けが簡単であり、手軽に使用することができる自発光式リフレクターを提供する。【解決手段】角を丸めた三角形状その他適宜形状のケース４の表裏両面に、内面を乱反射面とした透光性乱反射板２、３をネジ止めして成り、前記ケース４内には電池８と揺動接点９と発光ダイオード１０とが収装され、また、前記ケース４には少なくとも２つのスポーク挿入スリット６が外側面から内方に向けて形成され、前記スポーク挿入スリット６を横切るように、一方の前記透光性乱反射板２から他方の前記透光性乱反射板３に固定用ネジ５ｂ、５ｃが差込まれ、前記固定用ネジを差込むために前記ケース４及び前記各透光性乱反射板２、３に形成される透孔７が横長孔である。【選択図】図１
0003110992.tif 000002
【実用新案登録請求の範囲】
【請求項１】
角を丸めた三角形状その他適宜形状のケースの表裏両面に、内面を乱反射面とした透光性乱反射板をネジ止めして成り、前記ケース内には電池と揺動接点と発光ダイオードとが収装され、また、前記ケースには少なくとも２つのスポーク挿入スリットが外側面から内方に向けて形成され、前記スポーク挿入スリットを横切るように、一方の前記透光性乱反射板から他方の前記透光性乱反射板に固定用ネジが差込まれ、前記固定用ネジを差込むために前記ケース及び前記各透光性乱反射板に形成される透孔が横長孔であることを特徴とする自発光式リフレクター。
【請求項２】
角を丸めた三角形状その他適宜形状のケースの表裏両面に、内面を乱反射面とした透光性乱反射板をネジ止めして成り、前記ケース内には電池と揺動接点と発光ダイオードと前記揺動接点が接状態になった際に所定時間通電状態を保持する回路とが収装され、また、前記ケースには少なくとも２つのスポーク挿入スリットが外側面から内方に向けて形成され、前記スポーク挿入スリットを横切るように、一方の前記透光性乱反射板から他方の前記透光性乱反射板に固定用ネジが差込まれ、前記固定用ネジを差込むために前記ケース及び前記各透光性乱反射板に形成される透孔が横長孔であることを特徴とする自発光式リフレクター。
【請求項３】
角を丸めた三角形状その他適宜形状のケースの表裏両面に、内面を乱反射面とした透光性乱反射板をネジ止めして成り、前記ケース内には電池と揺動接点と発光ダイオードと前記揺動接点が接状態になった際に所定時間通電状態を保持する回路が収装され、前記揺動接点は、円筒体内に揺動バネを配設して成り、前記揺動バネが揺動して前記円筒体の内壁に接触した際に通電状態となるものであり、また、前記ケースには少なくとも２つのスポーク挿入スリットが外側面から内方に向けて形成され、前記スポーク挿入スリットを横切るように、一方の前記透光性乱反射板から他方の前記透光性乱反射板に固定用ネジが差込まれ、前記固定用ネジを差込むために前記ケース及び前記各透光性乱反射板に形成される透孔が横長孔であることを特徴とする自発光式リフレクター。
【考案の詳細な説明】
【技術分野】
【０００１】
本考案は自発光式リフレクター、より詳細には、主として夜間の安全走行のために、自転車のスポークに取り付けて用いる照明手段を内蔵した自発光式リフレクターに関するものである。
【背景技術】
【０００２】
自転車の夜間走行時には、暗所を照らし出すために自転車に装備されたライトを用いるが、他者、殊に自動車運転中のドライバーにその存在を知らしめるために、テールカバー、ペダル、あるいは、スポーク等にリフレクターが取り付けられる。ライトが故障したままで無灯下で走行する自転車が少なくないが、特に、そのような場合の安全確保のためにリフレクターは有効である。
【０００３】
しかし、一般のリフレクターはあくまで、受けた光を反射するものであるので、無灯下の自転車同士や、無灯下の自転車と歩行者等との間では機能せず、これらの場合における相互確認、並びに、安全確保の手段とはなり得ない。
【考案の開示】
【考案が解決しようとする課題】
【０００４】
上述したように、従来のリフレクターは自発光機能がなく、受けた光を反射するのみであるので、光を受けない状況下では、その機能を発揮することができない。
そこで本考案は、自発光機能を有していて視認性がよく、暗所で光を受けない状況下でも機能し、以て自転車利用者及び歩行者等の安全を確保でき、しかも構成簡易で取付けが簡単であり、手軽に使用することができる自発光式リフレクターを提供することを課題とする。
【課題を解決するための手段】
【０００５】
上記課題を解決するための請求項１に記載の自発光式リフレクターは、角を丸めた三角形状その他適宜形状のケースの表裏両面に、内面を乱反射面とした透光性乱反射板をネジ止めして成り、前記ケース内には電池と揺動接点と発光ダイオードとが収装され、また、前記ケースには少なくとも２つのスポーク挿入スリットが外側面から内方に向けて形成され、前記スポーク挿入スリットを横切るように、一方の前記透光性乱反射板から他方の前記透光性乱反射板に固定用ネジが差込まれ、前記固定用ネジを差込むために前記ケース及び前記各透光性乱反射板に形成される透孔が横長孔であることを特徴とする。
【０００６】
上記課題を解決するための請求項２に記載の自発光式リフレクターは、角を丸めた三角形状その他適宜形状のケースの表裏両面に、内面を乱反射面とした透光性乱反射板をネジ止めして成り、前記ケース内には電池と揺動接点と発光ダイオードと前記揺動接点が接状態になった際に所定時間通電状態を保持する回路とが収装され、また、前記ケースには少なくとも２つのスポーク挿入スリットが外側面から内方に向けて形成され、前記スポーク挿入スリットを横切るように、一方の前記透光性乱反射板から他方の前記透光性乱反射板に固定用ネジが差込まれ、前記固定用ネジを差込むために前記ケース及び前記各透光性乱反射板に形成される透孔が横長孔であることを特徴とする。
【０００７】
上記課題を解決するための請求項３に記載の自発光式リフレクターは、角を丸めた三角形状その他適宜形状のケースの表裏両面に、内面を乱反射面とした透光性乱反射板をネジ止めして成り、前記ケース内には電池と揺動接点と発光ダイオードと前記揺動接点が接状態になった際に所定時間通電状態を保持する回路が収装され、前記揺動接点は、円筒体内に揺動バネを配設して成り、前記揺動バネが揺動して前記円筒体の内壁に接触した際に通電状態となるものであり、また、前記ケースには少なくとも２つのスポーク挿入スリットが外側面から内方に向けて形成され、前記スポーク挿入スリットを横切るように、一方の前記透光性乱反射板から他方の前記透光性乱反射板に固定用ネジが差込まれ、前記固定用ネジを差込むために前記ケース及び前記各透光性乱反射板に形成される透孔が横長孔であることを特徴とする。
【考案の効果】
【０００８】
本考案は、上述した通りであって、自発光機能を有していて暗所で光を受けない状況下でも機能してその両側においてに発光し、以て自転車利用者及び歩行者等の安全を確保でき、しかも構成簡易で取り付けも容易であって、手軽に使用することができる自発光式リフレクターを提供し得る効果がある。
【考案を実施するための最良の形態】
【０００９】
本考案を実施するための好ましい形態を添付図面に依拠して説明する。図１及び図２に示す本考案に係る自発光式リフレクター１は、側面を形成する内面を乱反射面とした２枚の透光性乱反射板２、３を有し、各乱反射板２、３は、それらに対応する形状（図示した例では角を丸めた三角形）のケース４の表裏両面に、３本の固定用ネジ５ａ、５ｂ、５ｃでネジ止めされ、一体化される。
【００１０】
三角形状のケース４の底辺両角部には、自転車のスポーク２０を挟み入れるためのスリット６が、その外側面から内方に向かって形成され、２本の固定用ネジ５ｂ、５ｃは、そのスリット６を横切るように、一方の乱反射板２から他方の乱反射板３にかけて貫通するように差込まれ、その先端にナット５ｄがネジ付けられることにより、ケース４と２枚の透光性乱反射板２、３とが一体化される（図３）。この固定用ネジ５ｂ、５ｃを差し込むために乱反射板２、３に形成される透孔７及びケース４に形成される透孔７ａは、横長孔とされる。なお、固定用ネジ５ａをネジ込むための透孔７ｂ、７ｃは、単なる円孔でよい。
【００１１】
ケース４内には、電池８と揺動接点９と発光ダイオード１０とが組み付けられ、更に、図示してないが接点回路が設置される。発光ダイオード１０としては、青色の高輝度ＬＥＤを用いることが好ましい。
【００１２】
揺動接点９は、図示せぬ接点回路に接続されていて、例えば、円筒体１２内に揺動バネ１１を立設して成り（図４）、振動で揺動バネ１１が揺動して円筒体１２の内壁に触れることによって通電し、接点回路の作用で、例えば１０秒間通電状態が持続される。
【００１３】
本考案に係るリフレクターは、自転車のスポークに簡単に取り付けることができる。即ち、スポーク２０は、リムからハブに向かって集束されているので、固定用ネジ５ｂ、５ｃを抜いた状態で本リフレクターを２本のスポーク２０間のリム寄りに配し、次第にハブ側に移動させることによって２つのスリット６内にそれぞれスポーク２０を進入させていく。そして、スポーク２０がスリット６の奥端に当たったところで、固定用ネジ５ｂ、５ｃをネジ込み緊締する。かくして２本のスポーク２０は、スリット６の両内壁によって強固に挟み付けられるので、そこから抜けなくなる。
【００１４】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１５】
【図１】本考案に係るリフレクターの分解斜視図である。
【図２】本考案に係るリフレクターの取付方法を示す図である。
【図３】本考案に係るリフレクターのスポークへの固定方法を示す図である。
【図４】本考案に係るリフレクターにおいて用いられる揺動接点の構成例を示す図である。
【符号の説明】
【００１６】
１    リフレクター
２    乱反射板
３    乱反射板
４    ケース
５ａ  固定用ネジ
５ｂ  固定用ネジ
５ｃ  固定用ネジ
５ｄ  ナット
６    スリット
７    透孔
７ａ  透孔
７ｂ  透孔
７ｃ  透孔
８    電池
９    揺動接点
１０    発光ダイオード
１１    揺動バネ
１２    円筒体
２０    スポーク
【図１】
0003110992.tif 000003
【図２】
0003110992.tif 000004
【図３】
0003110992.tif 000005
【図４】
0003110992.tif 000006